(57)【特許請求の範囲】
【請求項１】
端末裏面のスクリーンへのタッチ操作を検出することと、
前記タッチ操作が予め設定される条件を満たす場合に、端末正面の現在インターフェースのアプリケーションプログラムを、前記タッチ操作に対応する予め設定されるアプリケーションプログラムに切り替えることと、
を含み、
前記タッチ操作が予め設定される条件を満たす場合に、端末正面の現在インターフェースのアプリケーションプログラムを、前記タッチ操作に対応する予め設定されるアプリケーションプログラムに切り替えることは、
前記タッチ操作が予め設定される条件を満たす場合に、記録された既に開かれたアプリケーションプログラムに基づいて、端末正面の現在インターフェースのアプリケーションプログラムを、前記既に開かれたアプリケーションプログラム中の前記タッチ操作に対応する予め設定されるアプリケーションプログラムに切り替えることを含み、
前記記録された既に開かれたアプリケーションプログラムにはアプリケーションプログラムの名称及び退出時間情報を含み、
前記端末正面の現在インターフェースのアプリケーションプログラムを、前記既に開かれたアプリケーションプログラム中の前記タッチ操作に対応する予め設定されるアプリケーションプログラムに切り替える時に、前記アプリケーションプログラムの退出時間を参照して、前記タッチ操作に対応するアプリケーションプログラムを確定することを特徴とするアプリケーションプログラム切替え方法。
【請求項２】
前記記録された既に開かれたアプリケーションプログラムは、アプリケーションプログラムの初回の退出時間に基づいてソートを行うことを特徴とする請求項１に記載のアプリケーションプログラム切替え方法。
【請求項３】
前記タッチ操作が予め設定される条件を満たす場合に、端末正面の現在インターフェースのアプリケーションプログラムを、前記タッチ操作に対応する予め設定されるアプリケーションプログラムに切り替えることは、
前記タッチ操作のスライド方向が予め設定される方向を満たす場合に、または前記タッチ操作のスライド方向が予め設定される方向を満たし且つスライド距離が所定閾値以上である場合に、端末正面の現在インターフェースのアプリケーションプログラムを、前記タッチ操作に対応する予め設定されるアプリケーションプログラムに切り替えることを含む
ことを特徴とする請求項１または２に記載のアプリケーションプログラム切替え方法。
【請求項４】
前記タッチ操作のスライド方向が左向きである場合に、または前記タッチ操作のスライド方向が左向きであり且つスライド距離が所定閾値以上である場合に、前記切替えは、最後に開かれたアプリケーションプログラムに切り替えることであり、
前記タッチ操作のスライド方向が右向きである場合に、または前記タッチ操作のスライド方向が右向きであり且つスライド距離が所定閾値以上である場合に、前記切替えは、一番目に開かれたアプリケーションプログラムに切り替えることであり、または、
前記タッチ操作のスライド方向が右向きである場合に、または前記タッチ操作のスライド方向が右向きであり且つスライド距離が所定閾値以上である場合に、前記切替えは、最後に開かれたアプリケーションプログラムに切り替えることであり、
前記タッチ操作のスライド方向が左向きである場合に、または前記タッチ操作のスライド方向が左向きであってスライド距離が所定閾値以上である場合に、前記切替えは、一番目に開かれたアプリケーションプログラムに切り替えることであることを特徴とする請求項３に記載のアプリケーションプログラム切替え方法。
【請求項５】
前記スライド方向及びスライド距離は、取得した端末裏面のスクリーンへのタッチ操作の開始及び終了の位置に基づいて確定されることを特徴とする請求項３に記載のアプリケーションプログラム切替え方法。
【請求項６】
前記タッチ操作が予め設定される条件を満たす場合に、端末正面の現在インターフェースのアプリケーションプログラムを、前記タッチ操作に対応する予め設定されるアプリケーションプログラムに切り替えることは、
前記タッチ操作のクリック位置が予め設定される位置を満たす場合に、または前記タッチ操作のクリック位置が予め設定される位置を満たし且つクリック時間が所定閾値以上である場合に、端末正面の現在インターフェースのアプリケーションプログラムを、前記タッチ操作に対応する予め設定されるアプリケーションプログラムに切り替えることを含むことを特徴とする請求項１または２に記載のアプリケーションプログラム切替え方法。
【請求項７】
端末裏面のスクリーンへのタッチ操作を検出する検出モジュールと、
前記検出モジュールにより検出されたタッチ操作が予め設定される条件を満たす場合に、端末正面の現在インターフェースのアプリケーションプログラムを、前記タッチ操作に対応する予め設定されるアプリケーションプログラムに切り替える切替えモジュールと、
既に開かれたアプリケーションプログラムを記録する記録モジュールと、
を備え、
前記切替えモジュールは、前記タッチ操作が予め設定される条件を満たす場合に、前記記録モジュールに記録された既に開かれたアプリケーションプログラムに基づいて、端末正面の現在インターフェースのアプリケーションプログラムを、前記既に開かれたアプリケーションプログラム中の前記タッチ操作に対応する予め設定されるアプリケーションプログラムに切り替え、
前記記録された既に開かれたアプリケーションプログラムにはアプリケーションプログラムの名称及び退出時間情報を含み、
前記端末正面の現在インターフェースのアプリケーションプログラムを、前記既に開かれたアプリケーションプログラム中の前記タッチ操作に対応する予め設定されるアプリケーションプログラムに切り替える時に、前記アプリケーションプログラムの退出時間を参照して、前記タッチ操作に対応するアプリケーションプログラムを確定することを特徴とするアプリケーションプログラム切替え装置。
【請求項８】
前記切替えモジュールは、
前記タッチ操作のスライド方向が予め設定される方向を満たす場合に、端末正面の現在インターフェースのアプリケーションプログラムを、前記タッチ操作に対応する予め設定されるアプリケーションプログラムに切り替える第１の切替えモジュール、または、
前記タッチ操作のスライド方向が予め設定される方向を満たし且つスライド距離が所定閾値以上である場合に、端末正面の現在インターフェースのアプリケーションプログラムを、前記タッチ操作に対応する予め設定されるアプリケーションプログラムに切り替える第２の切替えモジュールを備えることを特徴とする請求項７に記載のアプリケーションプログラム切替え装置。
【請求項９】
前記検出モジュールにより端末裏面のスクリーンへのタッチ操作が検出された後、取得した端末裏面のスクリーンへのタッチ操作の開始及び終了の位置に基づいて前記スライド方向及びスライド距離を確定する算出モジュールをさらに備えることを特徴とする請求項８に記載のアプリケーションプログラム切替え装置。
【請求項１０】
前記切替えモジュールは、
前記タッチ操作のクリック位置が予め設定される位置を満たす場合に、端末正面の現在インターフェースのアプリケーションプログラムを、前記タッチ操作に対応する予め設定されるアプリケーションプログラムに切り替える第１の切替えモジュール、または、
前記タッチ操作のクリック位置が予め設定される位置を満たし且つクリック時間が所定閾値以上である場合に、端末正面の現在インターフェースのアプリケーションプログラムを、前記タッチ操作に対応する予め設定されるアプリケーションプログラムに切り替える第２の切替えモジュールを備えることを特徴とする請求項７に記載のアプリケーションプログラム切替え装置。
【請求項１１】
プロセッサーと、
プロセッサーにより実行可能なコマンドを記憶するメモリーと、を備え、
前記プロセッサーは、
端末裏面のスクリーンへのタッチ操作を検出し、
前記タッチ操作が予め設定される条件を満たす場合に、端末正面の現在インターフェースのアプリケーションプログラムを、予め設定される前記タッチ操作に対応するアプリケーションプログラムに切り替え、
前記タッチ操作が予め設定される条件を満たす場合に、端末正面の現在インターフェースのアプリケーションプログラムを、前記タッチ操作に対応する予め設定されるアプリケーションプログラムに切り替えることは、
前記タッチ操作が予め設定される条件を満たす場合に、記録された既に開かれたアプリケーションプログラムに基づいて、端末正面の現在インターフェースのアプリケーションプログラムを、前記既に開かれたアプリケーションプログラム中の前記タッチ操作に対応する予め設定されるアプリケーションプログラムに切り替えることを含み、
前記記録された既に開かれたアプリケーションプログラムにはアプリケーションプログラムの名称及び退出時間情報を含み、
前記端末正面の現在インターフェースのアプリケーションプログラムを、前記既に開かれたアプリケーションプログラム中の前記タッチ操作に対応する予め設定されるアプリケーションプログラムに切り替える時に、前記アプリケーションプログラムの退出時間を参照して、前記タッチ操作に対応するアプリケーションプログラムを確定することを特徴とする端末機器。
【発明の詳細な説明】
【技術分野】
【０００１】
本願は、出願番号がＣＮ２０１５１０７２９１１０．６であり、出願日が２０１５年１０月３０日である中国特許出願に基づいて提出され、当該中国特許出願の優先権を主張し、当該中国特許出願の全ての内容をここで参照として本願に援用される。
【０００２】
本発明は移動通信の技術分野に関し、特にアプリケーションプログラム切替え方法、装置及び機器に関する。
【背景技術】
【０００３】
インテリジェント移動端末技術の発展に伴い、移動端末からユーザへ様々なアプリケーションサービスが提供されている。ユーザが移動端末に各種のアプリケーションプログラムをインストールした後、そのアプリケーションプログラムを開くことでサービスを享受できる。移動端末は、ユーザへマルチプロセッシングのアプリケーションプログラム起動方式を提供し、すなわち移動端末のシステムバックグランドで複数のアプリケーションプログラムの実行を行うことができる。ユーザが複数のアプリケーションプログラムを開いた場合に、複数のアプリケーションプログラム間の切替えを行うことがある。例えば、ユーザは、現在に、ショートメッセージアプリケーションプログラムの「ショートメッセージアプリケーション」のインターフェースを見ていて、見た後に、ブラウザーアプリケーションプログラムの「ブラウザーアプリケーション」のインターフェースに高速に切り替える必要がある。したがって、移動端末を利用する時に、現在のアプリケーションプログラムのインターフェースからバックグランドのアプリケーションプログラムインターフェースに高速に切り替えることは、ユーザにとって重要である。
【発明の概要】
【０００４】
本発明は、従来技術において裏面のスクリーンへの操作によりアプリケーションプログラムの切替えを実現できない課題を解決するために、アプリケーションプログラム切替え方法、装置及び機器を提供する。
【０００５】
本発明の実施例の第１の側面によれば、
端末裏面のスクリーンへのタッチ操作を検出することと、
上記タッチ操作が予め設定される条件を満たす場合に、端末正面の現在インターフェースのアプリケーションプログラムを、上記タッチ操作に対応する予め設定されるアプリケーションプログラムに切り替えることと、
を含む。
【０００６】
好ましくは、上記タッチ操作が予め設定される条件を満たす場合に、端末正面の現在インターフェースのアプリケーションプログラムを、上記タッチ操作に対応する予め設定されるアプリケーションプログラムに切り替えることは、
上記タッチ操作が予め設定される条件を満たす場合に、記録された既に開かれたアプリケーションプログラムに基づいて、端末正面の現在インターフェースのアプリケーションプログラムを、上記既に開かれたアプリケーションプログラム中の上記タッチ操作に対応する予め設定されるアプリケーションプログラムに切り替えることを含む。
【０００７】
好ましくは、上記記録された既に開かれたアプリケーションプログラムはアプリケーションプログラムの名称及び退出時間情報を含み、
上記端末正面の現在インターフェースのアプリケーションプログラムを、上記既に開かれたアプリケーションプログラム中の上記タッチ操作に対応する予め設定されるアプリケーションプログラムに切り替える時に、上記アプリケーションプログラムの退出時間を参照して、上記タッチ操作に対応するアプリケーションプログラムを確定する。
【０００８】
好ましくは、上記記録された既に開かれたアプリケーションプログラムは、アプリケーションプログラムの初回の退出時間に基づいてソートを行う。
【０００９】
好ましくは、上記タッチ操作が予め設定される条件を満たす場合に、端末正面の現在インターフェースのアプリケーションプログラムを、上記タッチ操作に対応する予め設定されるアプリケーションプログラムに切り替えることは、
上記タッチ操作のスライド方向が予め設定される方向を満たす場合に、または上記タッチ操作のスライド方向が予め設定される方向を満たし且つスライド距離が所定閾値以上である場合に、端末正面の現在インターフェースのアプリケーションプログラムを上記タッチ操作に対応する予め設定されるアプリケーションプログラムに切り替えることを含む。
【００１０】
好ましくは、上記タッチ操作のスライド方向が左向きである場合に、または上記タッチ操作のスライド方向が左向きであり且つスライド距離が所定閾値以上である場合に、上記切り替えは、現在インターフェースのアプリケーションプログラムの直前に開かれたアプリケーションプログラムに切り替えることであり、
上記タッチ操作のスライド方向が右向きである場合に、または上記タッチ操作のスライド方向が右向きであり且つスライド距離が所定閾値以上である場合に、上記切り替えは、一番目に開かれたアプリケーションプログラムに切り替えることであり、または、
上記タッチ操作のスライド方向が右向きである場合に、または上記タッチ操作のスライド方向が右向きであり且つスライド距離が所定閾値以上である場合に、上記切り替えは、現在インターフェースのアプリケーションプログラムの直前に開かれたアプリケーションプログラムに切り替えることであり、
上記タッチ操作のスライド方向が左向きである場合に、または上記タッチ操作のスライド方向が左向きであってスライド距離が所定閾値以上である場合に、上記切り替えは、一番目に開かれたアプリケーションプログラムに切り替えることである。
【００１１】
好ましくは、上記スライド方向及びスライド距離は、取得した端末裏面のスクリーンへのタッチ操作の開始及び終了の位置に基づいて確定される。
【００１２】
好ましくは、上記タッチ操作が予め設定される条件を満たす場合に、端末正面の現在インターフェースのアプリケーションプログラムを、上記タッチ操作に対応する予め設定されるアプリケーションプログラムに切り替えることは、
上記タッチ操作のクリック位置が予め設定される位置を満たす場合に、または上記タッチ操作のクリック位置が予め設定される位置を満たし且つクリック時間が所定閾値以上である場合に、端末正面の現在インターフェースのアプリケーションプログラムを、上記タッチ操作に対応する予め設定されるアプリケーションプログラムに切り替えることを含む。
【００１３】
本発明の実施例の第２の側面によれば、
端末裏面のスクリーンへのタッチ操作を検出する検出モジュールと、
上記検出モジュールにより検出されたタッチ操作が予め設定される条件を満たす場合に、端末正面の現在インターフェースのアプリケーションプログラムを、上記タッチ操作に対応する予め設定されるアプリケーションプログラムに切り替える切替えモジュールと、を備えるアプリケーションプログラム切替え装置を提供する。
【００１４】
好ましくは、上記装置は、
開かれたアプリケーションプログラムを記録する記録モジュールをさらに備え、
上記切替えモジュールは、上記タッチ操作が予め設定される条件を満たす場合に、上記記録モジュールに記録された既に開かれたアプリケーションプログラムに基づいて、端末正面の現在インターフェースのアプリケーションプログラムを、上記既に開かれたアプリケーションプログラム中の上記タッチ操作に対応する予め設定されるアプリケーションプログラムに切り替える。
【００１５】
好ましくは、上記切替えモジュールは、
上記タッチ操作のスライド方向が予め設定される方向を満たす場合に、端末正面の現在インターフェースのアプリケーションプログラムを上記タッチ操作に対応する予め設定されるアプリケーションプログラムに切り替える第１の切替えモジュール、または、
上記タッチ操作のスライド方向が予め設定される方向を満たし且つスライド距離が所定閾値以上である場合に、端末正面の現在インターフェースのアプリケーションプログラムを、上記タッチ操作に対応する予め設定されるアプリケーションプログラムに切り替える第２の切替えモジュールを備える。
【００１６】
好ましくは、上記検出モジュールにより端末裏面のスクリーンへのタッチ操作が検出された後、取得した端末裏面のスクリーンへのタッチ操作の開始及び終了の位置に基づいて上記スライド方向及びスライド距離を確定する算出モジュールをさらに備える。
【００１７】
好ましくは、上記切替えモジュールは、
上記タッチ操作のクリック位置が予め設定される位置を満たす場合に、端末正面の現在インターフェースのアプリケーションプログラムを、上記タッチ操作に対応する予め設定されるアプリケーションプログラムに切り替える第１の切替えモジュール、または、
上記タッチ操作のクリック位置が予め設定される位置を満たし且つクリック時間が所定閾値以上である場合に、端末正面の現在インターフェースのアプリケーションプログラムを、上記タッチ操作に対応する予め設定されるアプリケーションプログラムに切り替える第２の切替えモジュールを備える。
【００１８】
本発明の実施例の第３の側面によれば、プロセッサーと、
プロセッサーにより実行可能なコマンドを記憶するメモリーと、を備え、
上記プロセッサーは、
端末裏面のスクリーンへのタッチ操作を検出し、
上記タッチ操作が予め設定される条件を満たす場合に、端末正面の現在インターフェースのアプリケーションプログラムを、予め設定される上記タッチ操作に対応するアプリケーションプログラムに切り替える端末機器を提供する。
【発明の効果】
【００１９】
本発明の実施例により提供される技術的手段は以下のような有益な効果を有する。
【００２０】
本発明では、正面と裏面にスクリーンを有する移動端末に対して、端末裏面のスクリーンに対する例えば各種スライドやクリック操作などのタッチ操作を検出し、裏面スクリーンへのタッチ操作とアプリケーションプログラム切替えとの対応関係を予め設定して、裏面スクリーンへのタッチ操作が予め設定される条件を満たす場合に、端末正面の現在インターフェースのアプリケーションプログラムを、上記タッチ操作に対応する予め設定されるアプリケーションプログラムに切り替えることで、端末裏面のスクリーンを利用する操作を実現でき、アプリケーションプログラムを高速に切替することを実現でき、利用がより便利であり、ユーザのニーズを満足することができる。
【００２１】
本発明では、端末の正面スクリーンへのタッチ操作で開かれたアプリケーションプログラムの相関情報を記録し、記録された既に開かれたアプリケーションプログラムに基づいて、端末正面の現在インターフェースのアプリケーションプログラムを、上記既に開かれたアプリケーションプログラム中の上記タッチ操作に対応する予め設定されるアプリケーションプログラムに切り替えることができる。
【００２２】
本発明では、アプリケーションプログラムの初回の退出時間を記録することができ、ユーザがアプリケーションプログラムを初回に退出する時間に基づいて、全てのアプリケーションプログラムに対してソートを行うことができる。
【００２３】
本発明では、裏面スクリーンへのタッチ操作がスライド操作であっても良く、裏面スクリーンへのタッチの誤操作を減少するために、スライド距離の閾値を設置でき、ユーザの指による裏面スクリーンでのスライド距離がこの閾値以上であることをトリガーとして、アプリケーションプログラムの切替えコマンドを実行する。
【００２４】
本発明のスライド操作が左右方向スライドであっても良く、上下方向スライドであっても良く、柔軟に設置すればよい。
【００２５】
本発明では、裏面スクリーンへのタッチ操作がクリック操作であっても良く、裏面スクリーンへのタッチの誤操作を減少するために、クリック時間の閾値を設置でき、ユーザによる裏面スクリーンでのクリック時間がこの閾値以上であることをトリガーとして、アプリケーションプログラムの切替えコマンドを実行する。
【００２６】
理解すべきことは、以上の一般的な説明及び後の詳細な説明は例示的なものと解釈ためのもののみであり、本発明を限定するものではない。
【図面の簡単な説明】
【００２７】
ここの図面は明細書に合併されて本明細書の一部を構成し、本発明に適合する実施例を示し、明細書と共に本発明の原理を解釈するためのものである。
【００２８】
【図１】図１は本発明の例示的な実施例によるアプリケーションプログラム切替え方法を示すフローチャートである。
【図２】図２は本発明の例示的な実施例による別のアプリケーションプログラム切替え方法を示すフローチャートである。
【図３】図３は本発明の例示的な実施例による別のアプリケーションプログラム切替え方法を示すフローチャートである。
【図４】図４は本発明の例示的な実施例によるアプリケーションプログラム切替え装置を示すブロック図である。
【図５】図５は本発明の例示的な実施例による別のアプリケーションプログラム切替え装置を示すブロック図である。
【図６】図６は本発明の例示的な実施例による端末機器を示すブロック図である。
【図７】図７は本発明の例示的な実施例による機器の構造を示すブロック図である。
【発明を実施するための形態】
【００２９】
ここで例示的な実施例について詳しく説明し、その実施例は図面に示す通りである。下記の説明が図面に関わる時、別途に表示されない限り、異なる図面における同じ数字は同じ又は類似する要素を示す。以下の例示的な実施例に説明される実施形態は本発明と一致する全ての実施形態を代表するわけではない。逆に、それらは特許請求の範囲に詳細に記載された本発明の一部の態様と一致する装置と方法の例に過ぎない。
【００３０】
本発明に使用される用語は特定な実施例を説明するためのものに過ぎず、本発明を制限するものではない。本発明及び特許請求の範囲に使用される単数形態の「一種」、「上記」と「当該」は、前後関係からはっきりと他の意味を表示しない限り、複数形態も含む。更に、本文に使用される用語「及び／又は」は、一つ又は複数の関連する列記された項目の任意又はすべての組合せを含む。
【００３１】
本発明では、第一、第二、第三などの用語で各種の要素を記載する場合があり、これらの要素はこのような用語に限定されるべきではないと理解すべきである。これらの用語は同じ類型の要素を互いに分けることだけに用いられる。例えば、本発明の範囲から逸脱しない情況で、第一要素を第二要素と称してもよく、同様に、第二要素も第一要素と称してもよい。ここで使用される「場合」という用語は、状況に応じて「時には」又は「時に」又は「確定に応じて」を意味するものと解釈される。
【００３２】
図１は本発明の例示的な実施例によるアプリケーションプログラム切替え方法を示すフローチャートである。当該方法は、正面及び裏面にタッチ可能なスクリーンを有する端末に適用される。当該方法は以下のようなステップを含む。
【００３３】
ステップ１０１では、端末裏面のスクリーンへのタッチ操作を検出する。
【００３４】
このステップでは、システムプログラムを利用して、ユーザによる端末裏面スクリーンへの例えば各種クリック操作やスライド操作などのタッチ操作を常時に検出する。
【００３５】
ステップ１０２では、上記タッチ操作が予め設定される条件を満たす場合に、端末正面の現在インターフェースのアプリケーションプログラムを、上記タッチ操作に対応する予め設定されるアプリケーションプログラムに切り替える。
【００３６】
このステップでは、上記タッチ操作のスライド方向が予め設定される方向を満たす場合に、または上記タッチ操作のスライド方向が予め設定される方向を満たし且つスライド距離が所定閾値以上である場合に、端末正面の現在インターフェースのアプリケーションプログラムを上記タッチ操作に対応する予め設定されるアプリケーションプログラムに切り替えることを含む。
【００３７】
例えば、上記タッチ操作のスライド方向が左向きである場合に、または上記タッチ操作のスライド方向が左向きであり且つスライド距離が所定閾値以上である場合に、上記切り替えは、現在インターフェースのアプリケーションプログラムの直前に開かれたアプリケーションプログラムに切り替えることであり、
上記タッチ操作のスライド方向が右向きである場合に、または上記タッチ操作のスライド方向が右向きであり且つスライド距離が所定閾値以上である場合に、上記切り替えは、一番目に開かれたアプリケーションプログラムに切り替えることであり、または、
上記タッチ操作のスライド方向が右向きである場合に、または上記タッチ操作のスライド方向が右向きであり且つスライド距離が所定閾値以上である場合に、上記切り替えは、現在インターフェースのアプリケーションプログラムの直前に開かれたアプリケーションプログラムに切り替えることであり、
上記タッチ操作のスライド方向が左向きである場合に、または上記タッチ操作のスライド方向が左向きであり且つスライド距離が所定閾値以上である場合に、上記切り替えは、一番目に開かれたアプリケーションプログラムに切り替えることである。
【００３８】
上記スライド方向及びスライド距離は、取得した端末裏面のスクリーンへのタッチ操作の開始及び終了の位置に基づいて確定される。
【００３９】
この実施例によれば、本発明では正面と裏面にスクリーンを有する移動端末に対して、端末裏面スクリーンへの例えば各種スライドやクリック操作などタッチ操作を検出し、裏面スクリーンへのタッチ操作とアプリケーションプログラム切替えとの対応関係を予め設定して、裏面スクリーンへのタッチ操作が予め設定される条件を満たす場合に、端末正面の現在インターフェースのアプリケーションプログラムを、上記タッチ操作に対応する予め設定されるアプリケーションプログラムに切り替えることで、端末裏面のスクリーンを利用する操作を実現でき、アプリケーションプログラムを高速に切り替えることを実現でき、利用がより便利であり、ユーザのニーズを満足することができる。
【００４０】
図２は本発明の例示的な実施例による別のアプリケーションプログラム切替え方法を示すフローチャートである。図２のフローは図１のフローに比べて、記録された既に開かれたアプリケーションプログラムに基づいてアプリケーションプログラムの切替えを行うものである。当該方法は端末に適用され、以下のようなステップを含む。
【００４１】
ステップ２０１では、端末裏面のスクリーンへのタッチ操作とアプリケーションプログラム切替えとの対応関係を予め設定する。
【００４２】
このステップでは、上記タッチ操作のスライド方向が予め設定される方向を満たす場合に、または上記タッチ操作のスライド方向が予め設定される方向を満たし且つスライド距離が所定閾値以上である場合に、端末正面の現在インターフェースのアプリケーションプログラムを、上記タッチ操作に対応する予め設定されるアプリケーションプログラムに切り替えるように予め設置してもいい。
【００４３】
例えば、上記タッチ操作のスライド方向が左向きである場合に、または上記タッチ操作のスライド方向が左向きであり且つスライド距離が所定閾値以上である場合に、上記切替えは、現在インターフェースのアプリケーションプログラムの直前に開かれたアプリケーションプログラムに切り替えることである。上記タッチ操作のスライド方向が右向きである場合に、または上記タッチ操作のスライド方向が右向きであり且つスライド距離が所定閾値以上である場合に、上記切替えは、一番目に開かれたアプリケーションプログラムに切り替えることである。或いは、逆に設置しても良い。
【００４４】
このステップでは、上記タッチ操作のクリック位置が予め設定される位置を満たす場合に、または上記タッチ操作のクリック位置が予め設定される位置を満たし且つクリック時間が所定閾値以上である場合に、端末正面の現在インターフェースのアプリケーションプログラムを、上記タッチ操作に対応する予め設定されるアプリケーションプログラムに切り替えるように予め設置しても良い。例えば、クリック位置がスクリーンの左辺にあり、またはクリック位置がスクリーンの左辺にあり且つクリック時間が時間閾値以上であることは、現在のアプリケーションプログラムの直前に開かれたアプリケーションプログラムのインターフェースに切り替えることを示し、クリック位置がスクリーンの右辺にあり、またはクリック位置がスクリーンの右辺にあり且つクリック時間が時間閾値以上であることは、一番目に開かれたアプリケーションプログラムのインターフェースに切り替えることを示す。上記は逆に設置されても良い。
【００４５】
ステップ２０２では、端末正面のスクリーンへのタッチ操作により開かれたアプリケーションプログラムを記録する。
【００４６】
このステップでは、記録された既に開かれたアプリケーションプログラムにはアプリケーションプログラムの名称及び退出時間の情報などを含む。記録されたアプリケーションプログラムに対して、初回の退出の時間を記録し、このアプリケーションプログラムが再度に実行されて退出されたときに退出時間を更新しない。それにより、ユーザによるアプリケーションプログラムへの初回の退出時間に基づいて、全てのアプリケーションプログラムに対してソートを行うことができる。このステップでは、上記記録された既に開かれたアプリケーションプログラムはアプリケーションプログラムの初回の退出時間に基づいてソートされる。
【００４７】
ステップ２０３では、端末裏面のスクリーンへのタッチ操作を検出する。
【００４８】
このステップでは、システムプログラムを利用して、ユーザによる端末裏面スクリーンへの例えば各種クリック操作やスライド操作などのタッチ操作を常時に検出する。
【００４９】
ステップ２０４では、上記タッチ操作が予め設定される条件を満たす場合に、記録された既に開かれたアプリケーションプログラムに基づいて、端末正面の現在インターフェースのアプリケーションプログラムを、上記既に開かれたアプリケーションプログラム中の上記タッチ操作に対応する予め設定されるアプリケーションプログラムに切り替える。
【００５０】
このステップでは、端末正面の現在インターフェースのアプリケーションプログラムを、上記既に開かれたアプリケーションプログラム中の上記タッチ操作に対応する予め設定されるアプリケーションプログラムに切り替える場合に、ステップ２０２で記録されたアプリケーションプログラムの退出時間を参照して、上記タッチ操作に対応するアプリケーションプログラムを確定する。
【００５１】
このステップでは、裏面スクリーンへのタッチ操作が予め設定される条件を満たす場合に、ステップ２０１で予め設定された、端末裏面スクリーンへのタッチ操作とアプリケーションプログラム切替えとの対応関係に基づき、且つステップ２０２で記録された既に開かれたアプリケーションプログラムに基づいて、端末正面の現在インターフェースのアプリケーションプログラムを、上記既に開かれたアプリケーションプログラム中の上記タッチ操作に対応する予め設定されるアプリケーションプログラムに切り替える。ここで、異なる切替えの場合については、上記ステップ１０２での例示的な説明を参照する。
【００５２】
この実施例によれば、本発明は、端末裏面のスクリーンへのタッチ操作とアプリケーションプログラム切替えとの対応関係を予め設置し、端末正面のスクリーンへのタッチ操作を利用して開いたアプリケーションプログラムを記録し、端末裏面のスクリーンへのタッチ操作を検出した時に、上記タッチ操作が予め設定される条件を満たす場合に、記録された既に開かれたアプリケーションプログラムに基づいて、端末正面の現在インターフェースのアプリケーションプログラムを上記既に開かれたアプリケーションプログラム中の上記タッチ操作に対応する予め設定されるアプリケーションプログラムに切り替えることができる。
【００５３】
図３は本発明の例示的な実施例による別のアプリケーションプログラム切替え方法を示すフローチャートである。
【００５４】
当該方法は、表裏の両面にスクリーンを有し、両面のスクリーンもタッチ可能なスクリーンである本発明における端末に適用される。本発明の実施例では、ユーザが正面スクリーンでアプリケーションプログラムを利用する場合に、裏面スクリーンでユーザによる裏面スクリーンへのタッチ操作を受信することが可能であり、スライド方向及びスライド距離を解析し、更に予め設定される条件に基づいてどのアプリケーションインターフェースに切り替えるかを制御する。
【００５５】
当該方法以下のようなステップを含む。
【００５６】
ステップ３０１では、端末裏面のスクリーンへのタッチ操作とアプリケーションプログラム切替えとの対応関係を予め設定する。
【００５７】
このステップでは、裏面スクリーンのアプリケーションプログラムインターフェースの切替えジェスチャー動作とそれに対応する切替え操作とを予め設定する。例えば、指の左向きのスライドが、現在のアプリケーションプログラムの直前に開かれたアプリケーションプログラムのインターフェースに切り替えることを示し、指の右向きのスライドが、最初に開かれたアプリケーションプログラムのインターフェースに切り替えること、すなわち一番目に開かれたアプリケーションプログラムのインターフェースに切り替えることを示すように設置される。勿論、逆に設置されても良い。つまり、指の右向きのスライドが、現在のアプリケーションプログラムの直前に開かれたアプリケーションプログラムのインターフェースに切り替えることを示し、指の左向きのスライドが、最初に開かれたアプリケーションプログラムのインターフェースに切り替えることを示すように設置されても良い。必要に応じてジェスチャーの設置を行っても良い。
【００５８】
尚、左右方向のスライドの他に、必要に応じて上下方向のスライドであっても良く、本発明は特に限定しない。例えば、指の上向きのスライドが、現在のアプリケーションプログラムの前に開かれた１つのアプリケーションプログラムのインターフェースに切り替えることを示し、指の下向きのスライドが、最初に開かれたアプリケーションプログラムのインターフェースに切り替えることを示すように設置されても良く、または逆に設置されても良く。
【００５９】
尚、上記はタッチ操作としてスライド操作を例として説明したが、タッチ操作がクリック操作であっても良い。例えば、指の左辺へのクリックが、現在のアプリケーションプログラムの直前に開かれた１つのアプリケーションプログラムのインターフェースに切り替えることを示し、指の右辺へのクリックが、最初に開かれたアプリケーションプログラムのインターフェースに切り替えることを示すように設置されても良く、または逆に設置されてもよい。上下部分へのクリック操作についても類似である。
【００６０】
裏面スクリーンへのタッチの誤操作を減少するために、本発明の実施例では１つの「スライド距離」という閾値、例えば３ｃｍの閾値を設置することができる。ユーザの指による裏面スクリーンでのスライド距離がこの閾値以上である場合に、アプリケーションプログラムの切替えコマンドを実行するトリガーとなる。例えば、指の左向きのスライドであり且つスライド距離閾値以上であることは、現在のアプリケーションプログラムの直前に開かれた１つのアプリケーションプログラムのインターフェースに切り替えることを示し、指の右スライドであり且つスライド距離閾値以上であることは、最初に開かれたアプリケーションプログラムのインターフェースに切り替えることを示す。
【００６１】
クリック操作を設置する場合に、クリック時間がクリック時間の閾値、例えば３秒を超えた時に切替え操作を実行するように設置されてもよく、原理はスライド距離閾値の設置と類似する。例えば、指による左辺へのクリック時間がクリック時間の閾値以上であることは、現在のアプリケーションプログラムの直前に開かれたアプリケーションプログラムのインターフェースに切り替えることを示し、指による右辺へのクリック時間がクリック時間の閾値以上であることは、最初に開かれたアプリケーションプログラムのインターフェースに切り替えることを示し、または逆に設置されてもよい。
【００６２】
ステップ３０２では、ユーザの正面スクリーンへの操作により開かれたアプリケーションプログラムの関連情報を記録する。
【００６３】
ユーザが移動端末を正常に使用する場合に、現在のアプリケーションプログラムの退出は、（１）ユーザの「リターン」ボタンに対するクリックを検出した後、システムがこのアプリケーションプログラムを閉じる場合、（２）ユーザの「ホーム」ボタンに対するクリックを検出した後、システムがこのアプリケーションプログラムをバックグランドアプリケーションとして、インターフェースに表示されないが、バックグラウンドで実行し続ける場合、を含む。
【００６４】
上記の両種の場合に、システムがこのアプリケーションプログラムの名称及び退出時間を記録し、このアプリケーションプログラムを「既に開かれたプログラム」リストに記録する。
【００６５】
リスト形式は以下の通りであるが、これに限定されない。
【表１】
0006328859.tif 000002
リストに示すように、一番目に退出されたアプリケーションがカメラアプリケーションであり、一番目に退出されたアプリケーションプログラムも一番目に開かれたアプリケーションであることを示し、退出時間が６：５７であり、最後の退出されたアプリケーションである現在のアプリケーションプログラムの直前のアプリケーションプログラムはマイクロブログアプリケーションで、退出時間が７：０７である。
【００６６】
本発明の実施例では、各アプリケーションプログラムが初回に退出された時に、「既に開かれたプログラム」リストに記録され、すなわちリストが更新されることで新規記録を取得し、新規の退出されたアプリケーションプログラムの退出時間を記録するが、次回にアプリケーションプログラムが再度に実行されて退出された時に、リスト内の退出時間を更新しない。それにより、ユーザによるアプリケーションプログラムの初回の退出時間に基づいて、全てのアプリケーションプログラムに対してソートを行うことができる。
【００６７】
ステップ３０３では、裏面スクリーンへのタッチ操作を検出して、識別する。
【００６８】
このステップでは、タッチ操作がスライド操作であることを例として、システムのインターフェースを利用して、スライドジェスチャー動作によるスクリーンの横方向の開始及び終了の位置、すなわちＸ軸方向上の位置を取得し、それぞれｘ１、ｘ２と記し、ｘ１、ｘ２に基づいてユーザのスライドが左向きであるか右向きであるかを算出することができる。例えば、
（１）ｘ１  −  ｘ２  ＜  ０：左向きのスライド
（２）ｘ１  −  ｘ２  ＞  ０：右向きのスライド
【００６９】
尚、異なるシステムによるＸ軸方向に対する規定は異なる場合がある。例えばＸ軸の正の方向はスクリーンの左から右への方向である可能性があり、スクリーンの右から左への方向である可能性もある。本実施例には、スクリーンの左から右への方向を、現在のスクリーンのＸ軸の正の方向とする。スクリーンの右から左への方向を現在のスクリーンのＸ軸の正方向とすれば、上記の算出方法を逆の設定にさせる。
【００７０】
タッチスライドの開始及び終了の位置に基づいて、更に、スライド距離、すなわちユーザの指によるスクリーンへのタッチ開始からスクリーンにおけるスライドの停止までこのジェスチャー動作のスライド距離を算出できる。スライド距離の絶対値が予め設定されるスライド距離の閾値以上である場合に、対応するアプリケーションプログラム切替え操作のトリガーを行うことを示す。
【００７１】
ステップ３０４では、裏面スクリーンへのタッチ操作が予め設定される条件を満たすか否かを判断し、予め設定される条件を満たす場合に、ステップ３０５を実行し、予め設定される条件を満たさない場合に、応答を行わず、つまり切替え操作を実行しない。
【００７２】
ステップ３０３では、ユーザによる裏面スクリーンへのタッチ操作のスライド方向及びスライド距離を識別した。スライド距離が予め設定されるスライド距離閾値未満である場合に、いずれの処理も行わず、スライド距離が予め設定されるスライド距離閾値以上である場合に、下記ステップ３０５を行う。
【００７３】
タッチ操作がクリック操作である場合に、クリック時間が予め設定されるクリック時間閾値未満であると、いずれの処理も行わず、クリック時間が予め設定されるクリック時間閾値以上であれば、下記ステップ３０５を行う。
【００７４】
ステップ３０５では、アプリケーションプログラムの切替え操作を実行する。
【００７５】
指の左向きのスライドが、現在のアプリケーションプログラムの直前に開かれたアプリケーションプログラムのインターフェースに切り替えることを示し、指の右向きのスライドが、最初に開かれたアプリケーションプログラムのインターフェース、すなわち一番目に開かれたアプリケーションプログラムのインターフェースに切り替えることを示すように予め設置される。
【００７６】
したがって、タッチ操作が左向きのスライドであると確定された場合に、ステップ３０２の「既に開かれたアプリケーション」リストにおける退出時間が現在時間より早い一番目のアプリケーションを読み出し、すなわち現在のアプリケーションプログラムの直前に開かれたアプリケーションプログラムを読み出す。
【００７７】
タッチ操作が右向きのスライドであると確定された場合に、「既に開かれたアプリケーション」リストにおける退出時間が最も早いアプリケーション、すなわち初回に退出されたアプリケーションを読み出し、それも一番目に開かれたアプリケーションプログラムのインターフェースである。
【００７８】
ステップ３０５について例を挙げて説明する。例えば上記ステップ３０２の表１における、現在の時間が７：１５であり、現在のインターフェースに表示されるアプリケーションプログラムが「ゲーム」アプリケーションであると仮定すれば、スライド距離閾値以上のスライド操作が左向きのスライドであると検出されたら、「マイクロブログ」アプリケーションを開くことに切り替え、理由は、「マイクロブログ」アプリケーションの退出時間７：０７が現在の時間７：１５より早く、退出時間が現在の時間より早い一番目のアプリケーションプログラムであり、すなわち現在のアプリケーションプログラムの直前に開かれたアプリケーションである。スライド距離閾値以上のスライド操作が右向きのスライドであると検出されたら、「カメラ」アプリケーションを開くことに切り替え、理由は、「カメラ」の退出時間が最も早く、一番目に退出されたプログラムである、一番目に開かれたアプリケーションプログラムのインターフェースである。
【００７９】
ステップ３０６では、切り替えたアプリケーションプログラムを表示する。
【００８０】
このステップでは、リストに記録される切り替えられたアプリケーション名称を読出し、システムインターフェースを呼び出し、このアプリケーションプログラムをフォアグラウンドのプロセッシングとして表示し、即ちユーザが当該アプリケーションプログラムのインターフェースを見ることができ、アプリケーションプログラムを高速に切り替ることを実現する。
【００８１】
尚、この実施例では、スライド距離閾値を設定することを例として説明したが、必要に応じてスライド距離閾値を設定せずに、直接にスライド方向に基づいて切り替えても良く、本発明は特に限定しない。
【００８２】
尚、裏面スクリーンへのタッチ操作が再度に検出されると、上記フローを再度に実行する。例えば、指が再び左向きのスライドを行い、前の切り替えされたアプリケーションプログラムが現在のアプリケーションプログラムになり、このアプリケーションプログラムの直前に開かれたアプリケーションプログラムのインターフェースに再度に切り替える。例えばゲームアプリケーションからマイクロブログアプリケーションに切り替えた後、再び左向きのスライドを行い、マイクロブログアプリケーションの前のショートメッセージアプリケーションに切り替える。
【００８３】
この実施例によれば、本発明では端末裏面のスクリーンへのスライド操作やクリック操作などのタッチ操作とアプリケーションプログラム切替えとの対応関係を予め設定し、リストによりユーザによる正面スクリーンへの操作により開かれたアプリケーションプログラムのアプリケーションプログラム名称及び退出時間などを含む関連情報を記録し、端末裏面のスクリーンへのタッチ操作を検出した場合に、タッチ操作のスライド距離がスライド距離閾値以上であると判断すると、スライドの異なった方向に基づいて、リストの既に開かれたアプリケーションから対応する切替えアプリケーションプログラムを探して、端末正面の現在インターフェースのアプリケーションプログラムを対応するアプリケーションプログラムに切り替えユーザへ表示させ、またはタッチ操作のクリック位置が予め設定される位置を満たし且つクリック時間がクリック時間閾値以上であると判断すると、端末正面の現在インターフェースのアプリケーションプログラムを、対応するアプリケーションプログラムに切り替えてユーザへ表示させる。従って、ユーザが正面スクリーンでアプリケーションプログラムを利用する場合に、裏面スクリーンへのタッチ操作によって、アプリケーションプログラムを高速に切り替えることを実現し、ユーザの利用がより便利であり、ユーザのニーズを満足することができる。
【００８４】
上記アプリケーション機能の実現方法の実施例に対応して、本発明はアプリケーションプログラム切替え装置及び相応する端末の実施例をさらに提供する。
【００８５】
図４は本発明の例示的な実施例によるアプリケーションプログラム切替え装置を示すブロック図である。
【００８６】
図４に示すように、アプリケーションプログラム切替え装置は、検出モジュール４０１と切替えモジュール４０２と、を備える。
【００８７】
検出モジュール４０１は、端末裏面のスクリーンへのタッチ操作を検出する。
【００８８】
切替えモジュール４０２は、上記検出モジュール４０１により検出されたタッチ操作が予め設定される条件を満たす場合に、端末正面の現在インターフェースのアプリケーションプログラムを、上記タッチ操作に対応する予め設定されるアプリケーションプログラムに切り替える。
【００８９】
この実施例によれば、本発明は、正面と裏面にスクリーンを有する移動端末に対して、端末裏面のスクリーンへの例えば各種スライドまたはクリック操作などのタッチ操作を検出し、裏面スクリーンへのタッチ操作とアプリケーションプログラム切替えとの対応関係を予め設定し、裏面スクリーンへのタッチ操作が予め設定される条件を満たす場合に、端末正面の現在インターフェースのアプリケーションプログラムを、上記タッチ操作に対応する予め設定されるアプリケーションプログラムに切り替える。従って、端末裏面のスクリーンを利用する操作を実現でき、アプリケーションプログラムを高速に切り替えることを実現でき、利用がより便利であり、ユーザのニーズを満足することができる。
【００９０】
図５は本発明の例示的な実施例による別のアプリケーションプログラム切替え装置を示すブロック図である。
【００９１】
図５に示すように、アプリケーションプログラム切替え装置は、検出モジュール４０１、切替えモジュール４０２、記録モジュール４０３、算出モジュール４０４を備える。
【００９２】
検出モジュール４０１、切替えモジュール４０２の機能については、図４の説明を参照する。
【００９３】
記録モジュール４０３は、既に開かれたアプリケーションプログラムを記録する。
【００９４】
切替えモジュール４０２は、上記タッチ操作が予め設定される条件を満たす場合に、記録モジュール４０３により記録された既に開かれたアプリケーションプログラムに基づいて、端末正面の現在インターフェースのアプリケーションプログラムを、上記既に開かれたアプリケーションプログラム中の上記タッチ操作に対応する予め設定されるアプリケーションプログラムに切り替える。
【００９５】
記録モジュール４０３により記録された既に開かれたアプリケーションプログラムにはアプリケーションプログラムの名称及び退出時間情報を含み、切替えモジュール４０２は端末正面の現在インターフェースのアプリケーションプログラムを、上記既に開かれたアプリケーションプログラム中の上記タッチ操作に対応する予め設定されるアプリケーションプログラムに切り替える場合に、上記アプリケーションプログラムの退出時間を参照して、上記タッチ操作に対応するアプリケーションプログラムを確定する。
【００９６】
ここで、記録モジュール４０３により記録された既に開かれたアプリケーションプログラムはアプリケーションプログラムの初回の退出された時間に基づいてソートされる。
【００９７】
切替えモジュール４０２は第１の切替えモジュール４０２１または第２の切替えモジュール４０２２を備えても良い。尚、図示したのは例示的なもののみであり、１つのサブ切替えモジュールのみを備えても良い。
【００９８】
第１の切替えモジュール４０２１は、上記タッチ操作のスライド方向が予め設定される方向を満たす場合に、端末正面の現在インターフェースのアプリケーションプログラムを、上記タッチ操作に対応する予め設定されるアプリケーションプログラムに切り替える。
【００９９】
第２の切替えモジュール４０２２は、上記タッチ操作のスライド方向が予め設定される方向を満たし且つスライド距離が所定閾値以上である場合に、端末正面の現在インターフェースのアプリケーションプログラムを、上記タッチ操作に対応する予め設定されるアプリケーションプログラムに切り替える。
【０１００】
または、以下の通りであってもよい。
【０１０１】
第１の切替えモジュール４０２１は、上記タッチ操作のクリック位置が予め設定される位置を満たす場合に、端末正面の現在インターフェースのアプリケーションプログラムを、上記タッチ操作に対応する予め設定されるアプリケーションプログラムに切り替える。
【０１０２】
第２の切替えモジュール４０２２は、上記タッチ操作のクリック位置が予め設定される位置を満たし且つクリック時間が所定閾値以上である場合に、端末正面の現在インターフェースのアプリケーションプログラムを、上記タッチ操作に対応する予め設定されるアプリケーションプログラムに切り替える。
【０１０３】
この実施例では、上記タッチ操作のスライド方向が左向きである場合に、または上記タッチ操作のスライド方向が左向きであり且つスライド距離が所定閾値以上である場合に、上記切替えは、現在インターフェースのアプリケーションプログラムの直前に開かれたアプリケーションプログラムに切り替えることである。上記タッチ操作のスライド方向が右向きである場合に、または上記タッチ操作のスライド方向が右向きであり且つスライド距離が所定閾値以上である場合に、上記切替えは、一番目に開かれたアプリケーションプログラムに切り替えることであり、又は、
上記タッチ操作のスライド方向が右向きである場合に、または上記タッチ操作のスライド方向が右向きであり且つスライド距離が所定閾値以上である場合に、上記切替えは、現在インターフェースのアプリケーションプログラムの直前に開かれたアプリケーションプログラムに切り替えることである。上記タッチ操作のスライド方向が左向きである場合に、または上記タッチ操作のスライド方向が左向きであり且つスライド距離が所定閾値以上である場合に、上記切替えは、一番目に開かれたアプリケーションプログラムに切り替えることである。
【０１０４】
算出モジュール４０４は、上記検出モジュール４０１が端末裏面のスクリーンへのタッチ操作を検出した後、取得した端末裏面のスクリーンへのタッチ操作の開始及び終了の位置に基づいて上記スライド方向及びスライド距離を確定する。
【０１０５】
この実施例によれば、本発明では、端末裏面のスクリーンへのスライド操作やクリック操作などのタッチ操作とアプリケーションプログラム切替えとの対応関係を予め設定し、リストにおいてユーザの正面スクリーンへの操作により開かれたアプリケーションプログラムのアプリケーション名称及び退出時間などを含む関連情報を記録し、端末裏面のスクリーンへのタッチ操作が設定条件に該当することを検出した時に、端末正面の現在インターフェースのアプリケーションプログラムを、対応するアプリケーションプログラムに切り替えてユーザへ表示させる。従って、ユーザが正面スクリーンでアプリケーションプログラムを利用する場合に、裏面スクリーンへのタッチ操作によって、アプリケーションプログラムを高速に切り替えることを実現でき、ユーザの利用がより便利であり、ユーザのニーズを満足することができる。
【０１０６】
上記アプリケーション機能の実現方法の実施例に対応して、本発明はアプリケーションプログラム切替え装置及び対応する端末の実施例をさらに提供する。
【０１０７】
上記装置における各ユニットの機能及び作用の実現過程は、具体的に上記方法における対応するステップの実現過程を参照し、ここでは繰り返して説明しない。
【０１０８】
装置の実施例に対して、それは基本的に方法の実施例に対応するため、関連する部分が方法の実施例の部分の説明を参照すればよい。以上説明した装置の実施例は例示的なものに過ぎず、そのうち、分離部材として説明したモジュールは物理的な分離であってもよいし、物理的な分離ではなくてもよく、モジュールとして表示した部材は物理的なモジュールであってもよいし、物理的なモジュールではなくてもよく、すなわち１つの箇所に位置してもよいし、複数のネットワークユニットに分布してもよい。実際の必要に応じて、そのうちの一部又は全部のモジュールを選択して本発明の解決手段の目的を達成することができる。そのうちの一部又は全部のモジュールで本発明の解決手段の目的を達成することができる。当業者であれば、進歩的な労働を必要とせずに、理解して実施することができる。
【０１０９】
これに対して、本発明は端末機器をさらに提供する。
【０１１０】
図６は本発明の例示的な実施例による端末機器を示すブロック図である。
【０１１１】
図６に示すように、端末機器はプロセッサー６０１及びプロセッサーにより実行可能なコマンドを記憶するメモリー６０２を備える。
【０１１２】
上記プロセッサー６０１は、
端末裏面のスクリーンへのタッチ操作を検出し、
上記タッチ操作が予め設定される条件を満たす場合に、端末正面の現在インターフェースのアプリケーションプログラムを、上記タッチ操作に対応する予め設定されるアプリケーションプログラムに切り替える。
【０１１３】
プロセッサー６０１により実行可能な他のコマンドについては、上記方法の対応するステップの実現過程を参照して、ここでは詳細な説明を省略する。
【０１１４】
図７は本発明の例示的な実施例による機器の一構造を示すブロック図である。
【０１１５】
例えば、機器７００は携帯電話、コンピュータ、デジタル放送端末、メッセージ送受信装置、ゲームコンソール、タブレット端末、医療機器、フィットネス機器、パーソナル・デジタル・アシスタント等であってもよい。
【０１１６】
図７を参照して、機器７００は、処理部７０２、メモリー７０４、電源部７０６、マルチメディア部７０８、オーディオ部７１０、入力／出力（Ｉ／Ｏ）インターフェース７１２、センサー部７１４、及び通信部７１６の一つ又は複数の部品を含むことができる。
【０１１７】
処理部７０２は、一般的に機器７００の全体的操作、例えば、表示、電話の呼び出し、データ通信、カメラ操作と記録操作に係る操作を制御する。処理部７０２は、上記方法の全部又は一部のステップを完成するように、コマンドを実行する一つ又は複数のプロセッサー７２０を含むことができる。なお、処理部７０２は、その他の部品との間のインタラクションを行うための一つ又は複数のモジュールを含むことができる。例えば、処理部７０２は、マルチメディア部７０８と処理部７０２とのインタラクションを行うマルチメディアモジュールを含むことができる。
【０１１８】
メモリー７０４は、機器７００における操作を支持するように様々な種類のデータを記憶するように構成される。これらのデータの例は、機器７００に操作される全てのアプリケーションプログラム又は方法のコマンド、連絡先データ、電話帳データ、メッセージ、ピクチャー、ビデオなどを含む。メモリー７０４は、全ての種類の揮発性又は不揮発性メモリー又はそれらの組み合わせ、例えば、スタティックランダムアクセスメモリー（ＳＲＡＭ、ｓｔａｔｉｃ  ｒａｎｄｏｍ  ａｃｃｅｓｓ  ｍｅｍｏｒｙ）、電気的消去可能なプログラム可能な読み取り専用メモリー（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラム可能な読み取り専用メモリー（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラム可能な読み取り専用メモリー（ＰＲＯＭ、Ｐｒｏｇｒａｍｍａｂｌｅ  Ｒｅａｄ  Ｏｎｌｙ  Ｍｅｍｏｒｙ）、読み取り専用メモリー（ＲＯＭ、Ｒｅａｄ  Ｏｎｌｙ  Ｍｅｍｏｒｙ）、磁気メモリー、フラッシュメモリー、磁気ディスク又は光ディスクにより実現することができる。
【０１１９】
電源部７０６は、機器７００の様々な部品へ電力を提供する。電源部７０６は、電源管理システム、一つ又は複数の電源、及びその他の機器７００に対する電力の生成、管理及び供給に関連する部品を含むことができる。
【０１２０】
マルチメディア部７０８は、機器７００とユーザとの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザからの入力信号を受信するように、スクリーンがタッチパネルとして実現してもいい。タッチパネルは、タッチ、スワイプ及びタッチパネルに対するジェスチャーを検知するための一つ又は複数のタッチセンサーを含む。タッチセンサーは、タッチ又はスワイプ動作の境界を検知するのみでなく、上記タッチ又はスワイプの動作に関連する持続時間及び圧力を検出することができる。一部の実施例において、マルチメディア部７０８は、フロントカメラ及び／又はバックカメラを含む。機器７００が操作モードにある場合、例えば、撮影モード又はビデオモードである場合、フロントカメラ及び／又はバックカメラは外部からのマルチメディアデータを受信することができる。各フロントカメラ及びバックカメラは、固定された光学レンズシステムであり、又は焦点距離と光学ズーム能力を有してもいい。
【０１２１】
オーディオ部７１０は、オーディオ信号を出力及び／又は入力するように構成される。例えば、オーディオ部７１０は、マイクロフォン（ＭＩＣ）を含んでいる。マイクロフォンは、機器７００が操作モードにある場合、例えば、呼び出しモード、記録モード、音声識別モードにある場合、外部のオーディオ信号を受信するように構成される。受信されたオーディオ信号は、さらにメモリー７０４に記憶され、又は通信部７１６を介して送信される。一部の実施例において、オーディオ部７１０は、さらにオーディオ信号を出力するスピーカーを含んでいる。
【０１２２】
Ｉ／Ｏインターフェース７１２は、処理部７０２と周辺インターフェースモジュールとの間にインターフェースを提供する。上記周辺インターフェースモジュールは、キーボード、クリックホイール、ボタンなどであってもよい。これらのボタンは、ホームボタン、ボリュームボタン、スタートボタン及びロックボタンを含んでもいいが、それに限定されない。
【０１２３】
センサー部７１４は、機器７００へ各方面からの状態評価を提供する一つ又は複数のセンサーを含んでいる。センサー部７１４は、例えば、機器７００のオン／オフ状態、例えば機器７００のディスプレイ及びキーパッドである部品の相対的位置決めを検出することができ、さらに機器７００又は機器７００の一つの部品の位置変化、ユーザと機器７００の接触の有無、機器７００の方位又は加速／減速、及び機器７００の温度変化を検出することができる。センサー部７１４は、物理的接触がない時、近傍物体の存在を検出する近接センサーを含んでいるように構成される。センサー部７１４は、さらに、例えばＣＭＯＳ又はＣＣＤイメージセンサーなどの、イメージングアプリケーションに用いられる光学センサーを含むことができる。一部の実施例において、当該センサー部７１４は、さらに加速度センサー、ジャイロセンサー、磁気センサー、圧力センサー又は温度センサーを含むことができる。
【０１２４】
通信部７１６は、機器７００とその他の装置との間の有線又は無線方式による通信にことに用いられるように構成される。機器７００は、通信標準に基づく例えば、Ｗｉ−Ｆｉ、２Ｇ又は３Ｇ、又はそれらの組み合わせの無線ネットワークにアクセスすることができる。一例示的な実施例において、通信部７１６は、放送チャネルを介して外部放送管理システムからの放送信号又は放送関連情報を受信する。一例示的な実施例において、通信部１３０８は、さらに狭域通信を促進するための近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（ＢＴ）及びその他の技術により実現することができる。
【０１２５】
一例示的な実施例において、機器７００は、一つ又は複数の特定用途向け集積回路（ＡＳＩＣ）、デジタル信号プロセッサー（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現され、上記方法を実行するためである。
【０１２６】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない当該技術分野における周知知識又は慣用の技術手段を含む。明細書と実施例は例示的なものに過ぎず、本発明の実際の範囲と精神は特許請求の範囲により与えられる。
【０１２７】
ここで理解すべきことは、本発明は既に上記のように説明され、図面に示された精確な構成に限定されず、その範囲を逸脱しない限りにおいて様々な修正や変更を行うことができる。本発明の範囲は特許請求の範囲のみにより限定される。
【図１】
0006328859.tif 000003
【図２】
0006328859.tif 000004
【図３】
0006328859.tif 000005
【図４】
0006328859.tif 000006
【図５】
0006328859.tif 000007
【図６】
0006328859.tif 000008
【図７】
0006328859.tif 000009